(57)【要約】【課題】この発明は、スポットライトにおける反射板などの取付け、取外しを容易にすると共に、その際各部品がばらばらにならないようにすることを目的としたものである。【解決手段】この発明は、灯匣の口部へ半球面状の反射板を設置し、該反射板の中央部へランプを突出設置し、前記反射板の周縁部と、口部を覆う透明板と、該透明板の固定枠とを固定した装置において、前記透明板の固定枠を、前記灯匣口部へ掛脱自在に掛止したことを特徴とするスポットライトの反射鏡取付け装置により目的を達成した。【選択図】　　　図１
2004047273.tif 000002
【特許請求の範囲】
【請求項１】
灯匣の口部へ半球面状の反射板を設置し、該反射板の中央部へランプを突出設置し、前記反射板の周縁部と、口部を覆う透明板と、該透明板の固定枠とを固定した装置において、前記透明板の固定枠を、前記灯匣口部へ掛脱自在に掛止したことを特徴とするスポットライトの反射鏡取付け装置。
【請求項２】
灯匣の口部へ半球面状の反射板を設置し、該反射板の中央部へランプを突出設置し、前記反射板の周縁部と、口部を覆う透明板と、該透明板の固定枠とを固定した装置において、前記透明板の固定枠に直径対称的に弾性掛止片を固定し、該弾性掛止片を前記灯匣の口部の環状凹入部へ着脱自在に嵌合掛止したことを特徴とするスポットライトの反射鏡取付け装置。
【請求項３】
灯匣の口部へ半球面状の反射板を設置し、該反射板の中央部へランプを突出設置し、前記反射板の周縁部と、口部を覆う透明板と、該透明板の固定枠とを固定した装置において、前記透明板の固定枠に弾性線材よりなり、前記灯匣口部の環状溝へ嵌着できる弾性リングを取り付けると共に、前記弾性リングの一部を切断して該部に弾性リングの嵌脱操作突片を連設したことを特徴とする反射鏡取付け装置。
【発明の詳細な説明】
【０００１】
【発明の属する技術分野】
この発明は、一側へ投光照射できるスポットライトなどにおいて、灯匣へ内装した反射鏡、透明板（レンズ）及び透明板の固定枠を、前記灯匣へ着脱自在に取り付けることを目的としたスポットライトの反射鏡取付け装置に関する。
【０００２】
【従来の技術】
従来、スポットライトの反射鏡及び透明板は、一部を切欠した弾性リングを灯匣の口部に設けた環状溝に着脱自在に嵌着している。
【０００３】
また、一般には、灯匣開口部へ環状リングを螺着して、締付け固定している。
【０００４】
【発明により解決しようとする課題】
前記従来の弾性リングによる掛止では、操作が簡単容易である反面、取り外す際に弾性リング、固定枠、透明板及び反射板には、相互の連携がないので、夫々がばらばらになる問題点があった。特にスポットライトが下向きの場合には、よほど注意しないとばらばらになって落とすおそれがあった。
【０００５】
また、取外しがワンタッチでできないのみならず、前例と同様に各部品がばらばらになるおそれがあった。
【０００６】
【課題を解決するための手段】
この発明は、固定枠へ、灯匣との掛止手段を固定したので、掛止手段を持てば固定枠も持つことになり、必然的に固定枠と透明板とを一体的に取り扱うことができることになり、前記従来の問題点を解決したのである。
【０００７】
即ち、この発明によれば、灯匣の口部へ半球面状の反射板を設置し、該反射板の中央部へランプを突出設置し、前記反射板の周縁部と、口部を覆う透明板と、該透明板の固定枠とを固定した装置において、前記透明板の固定枠を、前記灯匣口部へ掛脱自在に掛止したことを特徴とするスポットライトの反射鏡取付け装置である。
【０００８】
また、灯匣の口部へ半球面状の反射板を設置し、該反射板の中央部へランプを突出設置し、前記反射板の周縁部と、口部を覆う透明板と、該透明板の固定枠とを固定した装置において、前記透明板の固定枠に直径対称的に弾性掛止片を固定し、該弾性掛止片を前記灯匣の口部の環状凹入部へ着脱自在に嵌合掛止したことを特徴とするスポットライトの反射鏡取付け装置であり、灯匣の口部へ半球面状の反射板を設置し、該反射板の中央部へランプを突出設置し、前記反射板の周縁部と、口部を覆う透明板と、該透明板の固定枠とを固定した装置において、前記透明板の固定枠に弾性線材よりなり、前記灯匣口部の環状溝へ嵌着できる弾性リングを取り付けると共に、前記弾性リングの一部を切断して該部に弾性リングの嵌脱操作突片を連設したことを特徴とする反射鏡取付け装置である。
【０００９】
前記発明においては、弾性掛止片と、弾性リングとを掛止手段としたが、この構造に限定されることなく、固定枠と一体であって、灯匣の口縁部に着脱自在に掛止する物は、この発明の技術的範囲に属する。
【００１０】
前記掛止手段の材質は、弾性金属に限定されることなく、合成樹脂その他同一作用効果を奏する材質ならば使用できる可能性がある。
【００１１】
【発明の実施の形態】
この発明は、スポットライトの灯匣の口部を塞ぐ透明板（レンズなど）を、ワンタッチで取り付けることができる構造であって、固定枠に固定され、灯匣と掛止する弾性掛止片又は弾性リングがある。
【００１２】
前記弾性掛止片又は弾性リングの材質は、金属製であるが、合成樹脂製でも使用することができる。
【００１３】
要は、弾性であって、耐久性、耐候性、耐熱性（スポットライトなどの発熱に耐える）、強靱性を兼備する必要がある。
【００１４】
掛止片の場合は２個以上使用するが（灯匣の口径によっても異なる）、２個直径対称的の方が操作し易い。
【００１５】
前記掛止片の掛止状態は、通常の外力により脱抜できない程度の掛止力があればよいことになる。
【００１６】
【実施例１】
この発明の実施例を図１、２、３、４に基づいて説明する。インバータケース１に回転軸カラー２を介して灯匣３を取付け、灯匣３内へ、ランプソケット４を介してランプ５を固定する。前記灯匣３内には、ランプ５の光を反射させるための半球状の反射板６の口縁部と、透明板７の固定枠８内へ嵌挿固定し、前記固定枠８の外側へ直径対称的に固定した弾性掛止片１０、１０の突条１０ａを前記灯匣３の口部内壁に設けた環状凹入部９へ嵌入掛止させ、前記灯匣３と、固定枠８を固定する。
【００１７】
前記において、固定枠８と、弾性掛止片１０とは、熔接固定し、固定枠８と反射板６の口縁部は掛止固定してあり、透明板７は固定枠８の鍔８ａと反射板６の鍔との間に挟着されているので、固定枠８を外しても、透明板７と、反射板６と固定枠８とは一体的に一物品として取り扱うことができる。図中１１はプラグ、１２はトラスネジ、１３、１４は通気孔である。前記実施例において、掛止片１０、１０を図４中矢示１５、１６の方向へ押しつけると（指でつまむ）、鎖線図示のように変形するので、これを矢示１７の方向に引っ張れば、容易に外すことができる。この場合に、灯匣３が下向きであれば、透明板７及び反射板６も同方向へ落ちるので、一体的に取り外すことができる。
【００１８】
前記固定枠８を嵌着するときには、固定枠８、透明板７、反射板６を組みあわせたまま矢示１８のように押し込めば（図４）、掛止片１０は自動的に変形して嵌り込むので、ワンタッチで取り付けることができる。
【００１９】
【実施例２】
この発明の実施例を図５、６について説明する。この実施例は、実施例１の弾性掛止片に変えて弾性リングを使用したものである。
【００２０】
即ち、固定枠１９へ弾性リング２０の一部を取付け片２１、２１で固定し、弾性リング２０の一側を欠いて、端部に操作片２０ａ、２０ａを立上げるように連設し、他部を灯匣３の環状凹入部へ掛脱自在に嵌入掛止できるようにしたものである。
【００２１】
前記実施例において、操作片２０ａ、２０ａを矢示２２、２３の方向へ引き寄せると（図５）、弾性リング２０の一部が鎖線図示のように縮小して、固定枠１９の環状凹入部から外れるので、そのまま矢示２４の方向へ引き出せば取り外すことができる（図６）。
【００２２】
また、操作片２０ａ、２０ａをつまみ、矢示２５の方向へ押し込めば容易にセットすることができる。
【００２３】
【発明の効果】
この発明は、固定枠へ掛止手段を取り付けたので、固定枠をワンタッチで灯匣から取外し、又は取り付けることができる。
【００２４】
この場合に、透明板及び反射板も一体的に取り扱うことができる効果がある。
【図面の簡単な説明】
【図１】この発明の実施例の側面図。
【図２】同じく正面図。
【図３】（ａ）同じく反射板と固定枠の側面図。
（ｂ）同じく正面図。
【図４】同じく一部を省略した断面拡大図。
【図５】（ａ）同じく他の実施例の一部を省略した正面図。
（ｂ）同じく取付け状態を示す一部拡大断面図。
（ｃ）同じく取付け状態を示す一部拡大断面図。
【図６】同じく一部拡大下面図。
【符号の説明】
１　灯匣
５　ランプ
６　反射板
７　透明板
８　固定枠
９　環状凹入部
１０　弾性掛止片
１９　固定枠
２０　弾性リング
２０ａ　操作片
【図１】
2004047273.tif 000003
【図２】
2004047273.tif 000004
【図３】
2004047273.tif 000005
【図４】
2004047273.tif 000006
【図５】
2004047273.tif 000007
【図６】
2004047273.tif 000008